(57)【要約】【課題】軽合金製の中空押出し成型材を□字形に組み合わせて構成したサッシ枠は広く用いられているが、従来のものにおいては、サッシ枠材同士を固定する際にサッシ枠材にネジ穴をあける必要があるが、正確にネジ穴をあける作業はなかなかむずかしく、サッシ枠組立て作業の効率化の妨げとなっていた。【構成】直方体状をなした本体１と該本体１の一方の側面側から外側に張り出す様に一体的に形成された棚状のサッシ枠材端面固定板２とからコーナージョイントを構成し、前記本体１の一方の端面３から他方の端面４にわたって径の小さいネジ軸部挿通用長孔５と径の大きいネジ頭部挿通用凹穿部６を連続して形成すると共に、前記サッシ枠端面固定板２の開放端側に径の小さいネジ軸部挿通用透孔１５と径の大きネジ頭部挿通用皿状透孔１６とをその表裏を貫いて一体的に形成した。【選択図】  図５
2006016920.tif 000002
【特許請求の範囲】
【請求項１】
四角柱状をなした内筒部１０を有し、該内筒部１０内の一つのコーナー寄りには、一対の内側周面８，８及び一対の張り出し片９，９によって囲まれたネジ螺合用溝部２２が長手方向に向って形成された中空押出し成型材製のサッシ枠材７，７同士を直角に組み合わせて□形をしたサッシ枠２５を形成せしめるコーナージョイントを、直方体状をなした本体１と該本体１の一方の側面側から外側に張り出す様に一体的に形成された棚状のサッシ枠材端面固定板２とから構成すると共に、前記本体１の一方の端面３から他方の端面４にわたって径の小さいネジ軸部挿通用長孔５と径の大きいネジ頭部挿通用凹穿部６を連続して形成し、前記ネジ軸部挿通用長孔５側の端面３を一方のサッシ枠材７の端面２０に当接させ、ネジ軸部挿通用長孔５とネジ頭部挿通用凹穿部６とにネジ２１を挿入し、サッシ枠材７のネジ螺合用溝部２２にネジ２１を螺合させることにより、一方のサッシ枠材７の端面２０に直列状に本体１を固定する様にすると共に、前記サッシ枠端面固定板２の開放端側に径の小さいネジ軸部挿通用透孔１５と径の大きネジ頭部挿通用皿状透孔１６とをその表裏を貫いて一体的に形成し、ネジ軸部挿通用透孔１５側の端面１７を他方のサッシ枠材７の端面２３に当接し、ネジ軸部挿通用透孔１５とネジ頭部挿通用皿状透孔１６とにネジ２１を挿入し、サッシ枠材７のネジ螺合用溝部２２にネジ２１を螺合させる様にしたことを特徴とするサッシ枠組立用コーナージョイント。
【発明の詳細な説明】
【技術分野】
【０００１】
この発明はサッシ枠組立用コーナージョイント、詳しくは、サッシ枠材にネジ穴をあけることなく、サッシ枠材を形成することの出来る便利なサッシ枠組立用コーナージョイントに関するものである。
【背景技術】
【０００２】
軽合金の中空押出し成型材製のサッシ枠は、建築分野において現在広く用いられている。従来のこの種のサッシ枠は、一対の縦枠材と一対の横枠材とを「□」字形に組み合わせて、各枠材の当接箇所をネジによって固定することによって組立てていた。
【特許文献１】なし。
【非特許文献１】なし。
【発明の開示】
【発明が解決しようとする課題】
【０００３】
しかしながら、上記従来のサッシ枠においては、ネジによる固定の為には、固定しようとする一対のサッシ枠材のどちらか一方にネジ穴を形成しなければならなかった。このネジ穴の形成は、通常サッシ枠組立作業の現場において行われていたが、ネジ穴の位置決めが面倒であり、熟練を要し、サッシ枠組立作業の能率を低下させたり、仕上げ精度を低下させる原因となっていた。又、熟練を要し、それに伴い作業コストも当然上昇せざるを得なかった。
【０００４】
本発明者はサッシ枠の組立作業に関する上記従来の問題点を解決すべく研究を行った結果、サッシ枠材にネジ穴をあける必要がなく、サッシ枠材同士を正確確実かつ迅速に結合することが出来る便利なサッシ枠組立用コーナージョイントを完成するに至り、本発明としてここに提案するものである。
【課題を解決するための手段】
【０００５】
四角柱状をなした内筒部１０を有し、該内筒部１０内の一つのコーナー寄りには、一対の内側周面８，８及び一対の張り出し片９，９によって囲まれたネジ螺合用溝部２２が長手方向に向って形成された中空押出し成型材製のサッシ枠材７，７同士を直角に組み合わせて□形をしたサッシ枠２５を形成せしめるコーナージョイントを、直方体状をなした本体１と該本体１の一方の側面側から外側に張り出す様に一体的に形成された棚状のサッシ枠材端面固定板２とから構成すると共に、前記本体１の一方の端面３から他方の端面４にわたって径の小さいネジ軸部挿通用長孔５と径の大きいネジ頭部挿通用凹穿部６を連続して形成し、前記ネジ軸部挿通用長孔５側の端面３を一方のサッシ枠材７の端面２０に当接させ、ネジ軸部挿通用長孔５とネジ頭部挿通用凹穿部６とにネジ２１を挿入し、サッシ枠材７のネジ螺合用溝部２２にネジ２１を螺合させることにより、一方のサッシ枠材７の端面２０に直列状に本体１を固定する様にすると共に、前記サッシ枠端面固定板２の開放端側に径の小さいネジ軸部挿通用透孔１５と径の大きネジ頭部挿通用皿状透孔１６とをその表裏を貫いて一体的に形成し、ネジ軸部挿通用透孔１５側の端面１７を他方のサッシ枠材７の端面２３に当接し、ネジ軸部挿通用透孔１５とネジ頭部挿通用皿状透孔１６とにネジ２１を挿入し、サッシ枠材７のネジ螺合用溝部２２にネジ２１を螺合させる様にして上記課題を解決した。
【発明の効果】
【０００６】
従来のものの様に、サッシ枠材同士を結合する為に結合用のネジ穴をサッシ枠材にあける必要がなくなるので、現場におけるサッシ枠組立て作業を極めてスムースかつ正確に行うことが出来る様になり、しかも、熟練していなくとも組立て作業が行えるのでサッシ枠組立作業のコストを低下させることが出来る。
【発明を実施するための最良の形態】
【０００７】
四角柱状をなした内筒部１０を有し、該内筒部１０内の一つのコーナー寄りには、一対の内側周面８，８及び一対の張り出し片９，９によって囲まれたネジ螺合用溝部２２が長手方向に向って形成された中空押出し成型材製のサッシ枠材７，７同士を直角に組み合わせて□形をしたサッシ枠２５を形成せしめるコーナージョイントを、直方体状をなした本体１と該本体１の一方の側面側から外側に張り出す様に一体的に形成された棚状のサッシ枠材端面固定板２とから構成し、前記本体１の一方の端面３から他方の端面４にわたって径の小さいネジ軸部挿通用長孔５と径の大きいネジ頭部挿通用凹穿部６を連続して形成し、前記ネジ軸部挿通用長孔５側の端面３を一方のサッシ枠材７の端面２０に当接させ、ネジ軸部挿通用長孔５とネジ頭部挿通用凹穿部６とにネジ２１を挿入し、サッシ枠材７のネジ螺合用溝部２２にネジ２１を螺合させることにより、一方のサッシ枠材７の端面２０に直列状に本体１を固定する様にすると共に、前記サッシ枠端面固定板２の開放端側に径の小さいネジ軸部挿通用透孔１５と径の大きネジ頭部挿通用皿状透孔１６とをその表裏を貫いて一体的に形成し、ネジ軸部挿通用透孔１５側の端面１７を他方のサッシ枠材７の端面２３に当接し、ネジ軸部挿通用透孔１５とネジ頭部挿通用皿状透孔１６とにネジ２１を挿入しサッシ枠材７のネジ螺合用溝部２２にネジ２１を螺合させる様にした。
【実施例１】
【０００８】
図１はこの発明に係るサッシ枠組立用コーナージョイントの一実施例の正面図、図２はその平面図、図３は図１において左側から見たその側面図、図４は図１において右側から見た側面図である。サッシ枠材７は図７に示す様に、縦横方向に組み合わせてサッシ枠２５を形成するものであり、軽合金を素材とした中空押出し成型材製で、図５に示す様に、四角柱状をなした内筒部１０を有し、該内筒部１０内の一つのコーナー寄りには一対の内側周面８，８及び一対の張り出し片９，９によって囲まれたネジ螺合用溝部２２が長手方向に向って形成されている。
【０００９】
一方、本発明に係るサッシ枠組立用コーナージョイントは、図１乃至図４に示す様に直方体状をした本体１と該本体１の一方の側面側から外側に張り出す様に一体的に形成された棚状のサッシ枠材端面固定板２とからなり、これらは硬質合成樹脂によって一体的に形成されている。
【００１０】
又、本体１の一方の端面３から他方の端面４にわたっては、径の小さいネジ軸部挿通用長孔５と径の大きいネジ頭部挿通用凹穿部６とが連続して形成されており、端面３の上縁にはサッシ枠材７の周面２８に外側から接する張り出し片９が、端面３の下部寄りにはサッシ枠材７の内筒部１０の周面に接する突起部１２が、前記小突起部１２の左右にはサッシ枠材７の外面及び内面に接する小突起１４，１４がそれぞれ形成されている。
【００１１】
一方、サッシ枠端面固定板２の開放端側には径の小さいネジ軸部挿通用透孔１５と径の大きいネジ頭部挿通用皿状透孔１６とがその表裏を貫いて一体的に形成されている。
【００１２】
これらネジ軸部挿通用透孔１５とネジ頭部挿通用皿状透孔１６の軸芯Ａは、前記本体１に形成されているネジ軸部挿通用長孔５及びネジ頭部挿通用凹穿部６の軸芯Ｂと９０°変位している。
【００１３】
又、ネジ軸部挿通用透孔１５側の端面１７の外側寄りには、サッシ枠材７の内筒部１０の内側周面８に接する位置決め用の突起１９が形成されている。
【００１４】
この実施例は上記の通りの構成を有するものであり、図５及び図６に示す様に一方のサッシ枠材７の端面２０に本体１の端面３を当接し、ネジで軸部挿通用長孔５及びネジ頭部挿通用凹穿部６にネジ２１を挿通し、サッシ枠材７の内筒部１０に形成されているネジ螺合用溝部２２にネジ２１を螺合させ、本体１を一方のサッシ枠材７の端面２０に固定する。
【００１５】
なお、本体１の端面３には、張り出し片９、突起部１２、小突起１４が形成されており、これらがサッシ枠材７のそれぞれの対応する部位に接することにより、本体１の端面３は、サッシ枠材７の端面２０の所定位置に正確に位置決めされることになる。
【００１６】
この状態において、もう一方のサッシ枠材７の端面２３をサッシ枠材端面固定板２の内側、つまりネジ軸部挿通用透孔１５側の端面１７に当接し、ネジ２１をネジ頭部挿通用皿状透孔１６及びネジ軸部挿通用透孔１５に挿通し、サッシ枠材７の内筒部１０のネジ螺合用溝部２２に螺合させて、サッシ枠材端面固定板２を他方のサッシ枠材７の端面２３に固定する。
【００１７】
なお、サッシ枠材端面固定板２には突起１９が形成されており、この突起１９がサッシ枠材７の内筒部１０の周面に接することにより、サッシ枠材端面固定板２は、サッシ枠材７の対向する部位に正確に位置決めされることになる。
【００１８】
この様に、本体１の端面３を一方のサッシ枠材７の端面２０に、サッシ枠材端面固定板２を他方のサッシ枠材７の端面２３にそれぞれ固定することにより、一対のサッシ枠材７は、それぞれの端面２０，２３において直角に結合されたことになる。従って、これら結合を四隅においてそれぞれ行うことにより、図７に示す様な□字形のサッシ２５が組立てられる。
【００１９】
以上説明した様に、一対のサッシ枠材７，７はこの発明に係るコーナージョイントを介して結合されるので、従来のものの様に、結合用のネジ穴をサッシ枠材７に別途形成する必要がなくなり、現場におけるサッシ枠組立作業を極めてスムースかつ正確に行うことが出来る。又、特に熟練を要せず、サッシ枠組立作業を実施することが出来るので、作業コストも低下させることが可能となる。
【産業上の利用可能性】
【００２０】
各種建築分野において利用可能である。
【図面の簡単な説明】
【００２１】
【図１】この発明に係るサッシ枠組立用コーナージョイントの一実施例の斜視図。
【図２】同じくその平面図。
【図３】図１において左側から見たその側面図。
【図４】図１において右側から見たその側面図。
【図５】本発明に係るサッシ枠組立用コーナージョイントを用いて一対のサッシ枠材７，７を結合する要領を説明した斜視図。
【図６】同じく、本発明に係るサッシ枠組立用コーナージョイントを用いて一対のサッシ枠材７，７を結合する要領を説明する為、一部を切欠いて描いた要部の拡大断面図。
【図７】本発明に係るサッシ枠組立用コーナージョイントを用いて組立てたサッシ枠の正面図。
【符号の説明】
【００２２】
１    本体
２    サッシ枠材端面固定板
３    端面
４    端面
５    ネジ軸部挿通用長孔
６    ネジ頭部挿通用凹穿部
７    サッシ枠材
８    内側周面
９    張り出し片
１０    内筒部
１２    突起部
１４    小突起
１５    ネジ軸部挿通用透孔
１６    ネジ頭部挿通用皿状透孔
１７    端面
１９    突起
２０    端面
２１    ネジ
２２    ネジ螺合用溝部
２３    端面
２５    サッシ枠
２８    周面
【図１】
2006016920.tif 000003
【図２】
2006016920.tif 000004
【図３】
2006016920.tif 000005
【図４】
2006016920.tif 000006
【図５】
2006016920.tif 000007
【図６】
2006016920.tif 000008
【図７】
2006016920.tif 000009